(57)【要約】保存媒体にシリアル番号を割り当てて、ジョブを生成するジョブ制御ホストと、該ジョブ制御ホストに通信可能に接続される複製機器ホストと、該複製機器ホストに通信可能に接続されるシリアル化書込器とを含むシリアル化管理システムであり、該ジョブ制御ホストは、該ジョブを複製機器ホストに伝達し、該複製機器ホストは、該ジョブに応じて該シリアル化書込器を制御し、ステータス情報を該ジョブ制御ホストに伝達する。他の実施例において、該シリアル化管理システムを動作せしめる方法としての特徴を備える。
2004513446.tif 000002
【特許請求の範囲】
【請求項１】
シリアル化管理システムであって、
保存媒体にシリアル番号を割り当てて、ジョブを生成するジョブ制御ホストと、
前記ジョブ制御ホストと通信可能に接続される複製機器ホストと、
前記複製機器ホストに通信可能に接続されるシリアル化書込器と、
を含み、前記ジョブ制御ホストは、前記ジョブを複製機器ホストに伝達し、前記複製機器ホストは、前記ジョブに応じて前記シリアル化書込器を制御してステータス情報を前記ジョブ制御ホストに伝達することを特徴とするシリアル化管理システム。
【請求項２】
請求項１記載のシリアル化管理システムであって、前記シリアル化書込器に接続されるシリアル化書込器コンソールを更に含み、前記シリアル化書込器コンソールは、前記複製機器ホストにバッチリクエストを伝達することにより前記複製機器ホストにバッチ処理を促し、前記複製機器ホストは、前記バッチリクエストに応じて、前記ジョブの機能として前記複製機器ホストにより生成されるバッチデータを前記シリアル化書込器に伝達することを特徴とするシリアル化管理システム。
【請求項３】
請求項２記載のシリアル化管理システムであって、前記シリアル化書込器は、前記バッチデータに応じて、媒体上にシリアル化の書込をなすことを特徴とするシリアル化管理システム。
【請求項４】
請求項３記載のシリアル化管理システムであって、前記シリアル化書込器は、前記バッチデータに応じて、前記媒体上の第１面に第１のシリアル化の書込をなし、前記バッチデータに応じて、前記媒体上の第２面に第２のシリアル化の書込をなすことを特徴とするシリアル化管理システム。
【請求項５】
請求項２記載のシリアル化管理システムであって、前記シリアル化書込器は、バッチステータスを前記複製機器ホストに随時伝達することを特徴とするシリアル化管理システム。
【請求項６】
請求項５記載のシリアル化管理システムであって、前記シリアル化書込器は、バッチ完了に応じて、前記バッチステータスを前記複製機器ホストに伝達することを特徴とするシリアル化管理システム。
【請求項７】
請求項２記載のシリアル化管理システムであって、前記複製機器ホストに通信可能に接続される複製機器ホストコンソールを更に含み、前記複製機器ホストコンソールは、ジョブ完了の指標を受信して前記複製機器ホストに前記ジョブ完了の指標を伝達し、前記複製機器ホストは、前記ジョブ完了の指標に応じて、ジョブ完了ステータスを生成して前記ジョブ完了ステータスを前記ジョブ制御ホストに伝達することを特徴とするシリアル化管理システム。
【請求項８】
請求項７記載のシリアル化管理システムであって、前記ジョブ制御ホストは、前記ジョブ完了ステータスに応じて、確認メッセージを生成して前記複製機器ホストに前記確認メッセージを伝達し、前記複製機器ホストは、前記確認メッセージに応じて前記ジョブを削除することを特徴とするシリアル化管理システム。
【請求項９】
請求項８記載のシリアル化管理システムであって、前記ジョブ制御ホストは、前記ジョブ完了ステータスの受領に応じて、前記ジョブを外部出力することを特徴とするシリアル化管理システム。
【請求項１０】
シリアル化管理方法であって、
ジョブ制御ホストにおいて保存媒体にシリアル番号を割り当てるステップと、
前記ジョブ制御ホストにおいてジョブを生成するステップと、
前記ジョブを複製機器ホストに伝達するステップと、
前記ジョブに応じてシリアル化書込器を制御するステップと、
前記ジョブ制御ホストにステータス情報を伝達するステップと、
を含むことを特徴とするシリアル化管理方法。
【請求項１１】
請求項１０記載のシリアル化管理方法であって、
前記複製機器ホストにバッチリクエストを伝達することにより前記複製機器ホストにバッチ処理を促すステップと、
前記複製機器ホストにおいて前記ジョブの機能としてバッチデータを生成するステップと、
前記バッチリクエストに応じて、前記バッチデータを前記シリアル化書込器に伝達するステップと、
を更に含むことを特徴とするシリアル化管理方法。
【請求項１２】
請求項１１記載のシリアル化管理方法であって、前記シリアル化書込器において、前記バッチデータに応じて、媒体上にシリアル化の書込をなすステップを含むことを特徴とするシリアル化管理方法。
【請求項１３】
請求項１２記載のシリアル化管理方法であって、前記シリアル化の書込をなすステップは、前記バッチデータに応じて、前記媒体上の第１面に第１のシリアル化の書込をなすステップと、前記バッチデータに応じて、前記媒体上の第２面に第２のシリアル化の書込をなすステップを含むことを特徴とするシリアル化管理方法。
【請求項１４】
請求項１１記載のシリアル化管理方法であって、前記複製機器ホストにバッチステータスを随時伝達するステップを含むことを特徴とするシリアル化管理方法。
【請求項１５】
請求項１４記載のシリアル化管理方法であって、バッチ完了に応じて、前記バッチステータスを前記複製機器ホストに伝達するステップを含むことを特徴とするシリアル化管理方法。
【請求項１６】
請求項１２記載のシリアル化管理方法であって、
前記複製機器ホストコンソールにおいて、ジョブ完了の指標を受信するステップと、
前記ジョブ完了の指標を前記複製機器ホストに伝達するステップと、
前記複製機器ホストにおいて、前記ジョブ完了の指標に応じてジョブ完了ステータスを生成するステップと、
前記ジョブ完了ステータスを前記ジョブ制御ホストに伝達するステップと、
を更に含むことを特徴とするシリアル化管理方法。
【請求項１７】
請求項１６記載のシリアル化管理方法であって、
前記ジョブ完了ステータス応じて確認メッセージを生成するステップと、
以上に応じて、前記確認メッセージを前記複製機器ホストに伝達するステップと、
前記複製機器ホストにおいて、前記確認メッセージに応じて前記ジョブを削除するステップと、
を含むことを特徴とするシリアル化管理方法。
【請求項１８】
請求項１７記載のシリアル化管理方法であって、前記ジョブ完了ステータスの受領に応じて、前記ジョブを外部出力するステップを更に含むことを特徴とするシリアル化管理方法。
【発明の詳細な説明】
本特許文書は、米国特許法第１１９条ｅ項に基づいて、「ＢＣＡ書込器−システムアーキテクチャ」と題する２０００年１０月３０日付米国特許仮出願について優先権を主張する。その内容は参照により本願に組み入れられる。
【０００１】
【発明の属する技術分野】
本発明は、シリアル化管理システム及び方法に関する。
【０００２】
【発明の概要】
１つの実施例において、本発明は、保存媒体にシリアル番号を割り当てて、ジョブを生成するジョブ制御ホストと、該ジョブ制御ホストと通信可能に接続される複製機器ホストと、該複製機器ホストに通信可能に接続されるシリアル化書込器とを含むシリアル化管理システムであり、該ジョブ制御ホストは、該ジョブをを該複製機器ホストに伝達する。該複製機器ホストは、該ジョブに応じて該シリアル化書込器を制御し、ステータス情報をジョブ制御ホストに伝達することを特徴とする。
【０００３】
この実施例の変形例において、シリアル化書込器コンソールが該シリアル化書込器に接続される。該シリアル化書込器コンソールは、該複製機器ホストに対してバッチ要求を伝達することにより該複製機器ホストにバッチ処理を促す。該複製機器ホストは、該バッチ要求に応じて、該複製機器ホストにおいて該ジョブの機能として生成されるバッチデータを該シリアル化書込器に伝達する。
【０００４】
他の実施例において、本発明は、ジョブ制御ホストにおいて保存媒体にシリアル番号を割り当てるステップと、該ジョブ制御ホストにおいてジョブを生成するステップと、該ジョブを複製機器ホストに伝達するステップと、該ジョブに応じてシリアル化書込器を制御するステップと、ステータス情報を該ジョブ制御ホストに伝達するステップとを含むことを特徴とする。
【０００５】
この方法の変形例として、かかる方法は、複製機器ホストにバッチリクエストを伝達することにより該複製機器ホストにバッチ処理を促すステップと、該複製機器ホストにおいて該ジョブの機能としてバッチデータを生成するすステップと、該バッチリクエストに応じて、該バッチデータを該シリアル化書込器に伝達するステップとを更に含む。
【０００６】
この方法の他の変形例として、かかる方法は、該バッチデータに応じて該シリアル化書込器において媒体上にシリアル化の書込をなす付加的なステップを含む。
本方法の更なる変形例として、かかる方法は、複製機器コンソールにおいてジョブ完了の指標を受信するステップと、該ジョブ完了の指標を該複製機器ホストに伝達するステップと、該複製機器ホストにおいて該ジョブ完了の指標に応じて、ジョブ完了ステータスを生成するステップと、該ジョブ完了ステータスをジョブ制御ホストに伝達するステップとからなる更なる付加的ステップを含む。
【０００７】
本発明の上記及び他の特徴及び利点は、添付の図面と結びついて示される引き続く詳細な説明から明らかとなる。対応する参照文字は、かかる幾つかの図面を通して対応する構成要素を示している。
【０００８】
【実施例】
本発明を実施する上で現時点で想定される最良の形態の引き続く説明が、限定する目的ではなく本発明の概括的原理を説明する目的でなされる。本発明の範囲は請求項の記載により画定されるべきである。
図１を参照すると、１つの実施例におけるシリアル化書込器、例えばＢＣＡ書込器シリアル化管理システム１００からなるハードウェアのブロック構成が示され、同時に図２を参照すると、該１つの実施例における図１に示される如きＢＣＡ書込器シリアル化管理システム１００からなる機能ブロック構造が示されている。
【０００９】
本実施例は、ＢＣＡ書込器の如き複数のシリアル化書込器を制御し得る、例えばＤＶＤ又は他の媒体の複製機器である複数の複製機器２０２、２０２’、２０２”にて使用するための即時稼働型のシリアル化及び制御システムが志向されている。該シリアル化及び制御システムは、シリアル化情報の受領及び伝送のためにマスター制御ホスト１０２を用いる。
【００１０】
好ましくは、例えば、多様な製造者のＢＣＡ書込器であるシリアル化書込器２０６、２０８、２１０、２０６’、２０８’、２１０’がサポートされる。シリアル化及び制御システムは、好ましくは、複数の複製機器２０２、２０２’、２０４’と、複製機器当たり、例えばＢＣＡ書込器である複数のシリアル化書込器２０６、２０８、２１０、２０６’、２０８’、２１０’とに規模変更され得る。
【００１１】
シリアル化及び制御システムは、マスター制御ホスト１０２から制御され得る。マスター制御ホスト１０２は、ＢＣＡ書き込みの間に自動的に中央データベース２１１を更新し、中央データベース２１２は、例えば、シリアル化媒体の認証及び追跡をなすのに用いられ得る。
業務オーダは、複数の複製機器２０２、２０２’、２０２”と、１つの複製機器内で、例えばＢＣＡ書込器であるシリアル化書込器２０６、２０８、２１０、２０６’、２０８’、２１０’とにわたって流布され得る。
【００１２】
本発明によれば、シリアル化書込器２０６、２０８、２１０、２０６’、２０８’、２１０’は、また、書き込まれた情報、例えばシリアル番号の検証を実行する。中央データベース２１２は、検証の間においてＢＣＡ番号が読み込まれるか否か、或いは、検証の間の読み込みの企てが失敗するか否かを反映するように更新される。検証に失敗した媒体に書き込まれたＢＣＡ番号は、他のいかなる媒体に用いられることはなく二度と用いられる番号は無いことで、海賊行為の防止／検出を助ける。
【００１３】
シリアル化及び制御システムは、また、両面記録媒体をサポートし、両面に記録可能なＤＶＤディスクの如き両面記録媒体の各面にＢＣＡ番号を適用することを可能とする。これにより、アクセス可能、すなわち演奏可能な媒体の両面をトラッキングすることができる。両面記録媒体へのＢＣＡ番号の書き込みは、媒体各面上へのレーザをオフセットすることにより有効化され、その媒体を通した焼きが衰えることで他面のＢＣＡ番号と干渉しないようにされる。２つの異なるＢＣＡ番号が媒体の各面について適用される。
【００１４】
本実施例のシリアル化及び制御システムは、中心位置にあって、複数の複製機器２０２、２０２’、２０２”にある個々の複製制御ホスト１０４、１０４’に接続されインタフェースを有し（ＴＣＰ／ＩＰベースのイーサネット（登録商標）の如きネットワーク１０６を通す如くして）、米国ワシントン州マイクロソフト社のウィンドウズＮＴ／２０００（登録商標）の如きオペレーティングシステムを用いるインテルベースのパーソナルコンピュータの如き制御サーバからなるマスター制御ホスト１０２と、複数の複製機器２０２、２０２’、２０２”にあって、その複製機器にある複数の個々のＢＣＡ書込器２０６、２０８、２１０、２０６’、２０８’、２１０’と接続するインタフェースを有し（ＴＣＰ／ＩＰベースのイーサネット（登録商標）の如きネットワーク１０８を通すようにして）、リナックス等のオープンソースオペレーティングシステムの如きオペレーティングシステムを用いるマルチプロセッサインテルベースのパーソナルコンピュータの如きマルチプロセッサー制御ホストからなる複製制御ホスト１０４、１０４’とを含む。
【００１５】
変形例において、例えば、単一の複製機器のみが用いられ、ジョブ制御ホスト及び複製設備ホストが単一のパーソナルコンピュータに実装されても良いことを注記する。
従って、本実施例のシリアル化及び制御システムは２つの主要なサブシステムを含む。その第１のサブシステム（複製制御ホスト１０４、１０４’）は、複製機器２０２、２０２’、２０２”に設置され、ＤＶＤディスクの如き媒体に対して特定のデータセット（「シリアル番号」）の適用を管理する。第２のサブシステム（マスター制御ホスト１０２）は、中心に置かれた設備１１０、１１０’、１１０”に設置され、シリアル番号セットの創成と、それらの特定の複製機器への割り当てを管理する。複製制御ホスト２０２、２０２’、２０２”（すなわち゛複製機器ホスト２０２、２０２’、２０２”）は、複数のマスター制御ホスト１０２（すなわち、ジョブ管理ホスト１０２）からジョブセットを得ることができ、同様に、ジョブ制御ホスト１０２は、複数の複製機器ホスト１０４、１０４’にデータセットを提供できる。
【００１６】
シリアル化及び制御システムは、更に、１つ以上のシリアル化書込器２０６、２０８、２１０、２０６’、２０８’、２１０’、例えばＢＣＡ書込器２０６、２０８、２１０、２０６’、２０８’、２１０’を、複製機器２０２、２０２’、２０２”にあって含む（すなわち接続される）。
図１及び図２を参照すると、ブロック図にシリアル化及び制御システムの高レベルのシステム機構が示されている。
【００１７】
シリアル化及び制御システムは以下の３つの主要な構成単位を含む。
１．ジョブ制御ホスト１０２−シリアル番号（ジョブ）のバッチを創成及び管理する中央化されたシステムである。該ジョブはかかる複製機器２０２、２０２’、２０２”に割り当てられる。ジョブ制御ホスト１０２は、複製機器２０２、２０２’、２０２”のうちの幾台かに対するジョブの割当、伝送及びトラッキングを管理する。ジョブ管理ホストは、通常、ディスクの如くの媒体を製造するコンテンツ所有者により所有及び管理される。
【００１８】
２．複製機器ホスト１０４、１０４’−このシステムは、かかる複製機器２０２、２０２’、２０２”に設置され、シリアル番号バッチ（ジョブ）の実際のＤＶＤディスクへの適用を管理する。該ジョブは、何らかの数のジョブ制御ホストにより割り当てられても良い。複製機器ホスト１０４、１０４’は、複製機器２０２、２０２’、２０２”内部の１つ以上のＢＣＡ書込器２０６、２０８、２１０、２０６’、２０８’、２１０’と通信して相互動作してこの業務を達成する。複製機器ホスト１０４、１０４’は、好ましくは、高稼働性システムとされるべきであり、というのはその不具合が取り付けられた全てのシリアル化書込器２０６、２０８、２１０、２０６’、２０８’、２１０’を使用不能とするからである。複製機器ホスト１０４、１０４’は、複製機器にあってシリアル化書込器２０６、２０８、２１０、２０６’、２０８’、２１０’の間で業務オーダを振り分ける。
【００１９】
３．シリアル化書込器２０６、２０８、２１０、２０６’、２０８’、２１０’−製造ライン上のＤＶＤの如きＢＣＡフィールドに対してシリアル番号の実際の適用（すなわち、シリアル化）を実行する精巧な機能部分である。知られているＢＣＡ書込器としては、パナソニック製及びロビシステム製の２つがある。これらの書込器は、通常、ＢＣＡ書込を（ディスク当たり３乃至４秒の）線スピードで適用することができる。ＢＣＡ書込器は、イーサネット（登録商標）上ＴＣＰ／ＩＰ接続を用いて複製機器１０４、１０４’と通信をなす。本文書は、かかるＢＣＡ書込器が従来技術として知られていることから、複製機器１０４、１０４’と如何にインタフェースをなしているかの点以外、ＢＣＡ書込器について説明を行わない。
【００２０】
図３を参照すると、高レベルのブロック図が、シリアル化書込器シリアル化管理システムにおける業務フローを示している。同時に図４を参照すると、業務フロー図がシリアル化書込器シリアル化管理システムにより実行される行程を示している。これらの図は、シリアル化及び制御システムを通したジョブの通常のフローを示している。図４おいて、時系が垂直に示されて頂上から底部に向かって流れる（すなわち、後におこる事象は、先の発生した事象よりも下に明示される）。
【００２１】
１．　最初に、新規製造ジョブ３０２がジョブ制御コンソール４０２において創成される−ジョブステータスの入力。
２．　ジョブ４０４が複製機器ホスト３０４に移転される−ジョブステータス「保留中」。
３．　複製機器ホストコンソール４０８上で、オペレータは該ジョブに対してディスクマスターＩＤを割り当てる４０６−ジョブステータス「割り当て済み」。
【００２２】
４．　オペレータにより該ジョブがマーク付けが完了するまで、以降のステップを繰り返す。
４．１　ＢＣＡ機械オペレータは、ＢＣＡ書込器４１４、４１４’上のシリアル化製造実行を初期化する４１０、４１０’。
４．１．１　これがジョブに対する最初のシリアル化実行であるならば、ジョブステータスは「処理中」となる。
【００２３】
４．２　ＢＣＡ機械オペレータは、ＢＣＡ書込器４１４、４１４’にディスク４１６、４１６’を挿入し、コマンドを発行して所与のジョブについてのディスク製造を開始する。
４．３　引き続くステップは、ＢＣＡ機械オペレータがシリアル化製造実行を終結するまで繰り返される。
【００２４】
４．３．１　ＢＣＡ書込器は、複製機器ホスト３０４から該ジョブのシリアル化データのバッチ４１８、４１８’を要求する。
４．３．２　ＢＣＡ書込器４１４、４１４’は、シリアル化データをディスク上に書き込む。
４．３．３　バッチが完了したなら、ＢＣＡ書込器４１４、４１４’は複製機器ホスト３０４に通知し、ステータス４２２、４２２’を送信する。１６のシリアル番号からなる２つのバッチがＢＣＡ書込器に関して「処理中」である。
【００２５】
５．　ＢＣＡ書込器オペレータは、複製機器ホストコンソール４０８上で、各完了ジョブについて完了としてディスクマスターＩＤに書込する。
６．　複製機器ホスト４０８は、ジョブ制御ホストにそのジョブが完了される４２６ことを通知する４２４−ジョブステータス「完了」。
７．　ジョブ制御ホストから確認が受信される４２８時、そのジョブは複製機器ホスト３０４から削除される。
【００２６】
８．　ジョブ制御コンソールからそのジョブが外部出力される（４３０）−ジョブステータス「最終」。
本実施例のジョブ制御ホスト４２８は、ウインドウズＮＴ（登録商標）タスクの集合体を含み、これはジョブ制御ホスト機能をひとまとめに実装している。ジョブ制御ホスト４２８のユーザインタフェースは、ウィンドウズ（登録商標）ベースのインタフェースである。
【００２７】
ジョブ制御ホスト４２８のユーザインタフェースを実装するウィンドウズＮＴ（登録商標）は、製造ジョブの管理及び製造及び表示をなすのに用いられる。
図５を参照すると、シリアル化書込器シリアル化管理システムのジョブ制御ホストにおけるコンソールの複数の表示画面と、かかる画面間の誘導関係とを図示するブロック図が示されている。該画面は、３つの主要画面、すなわち、ジョブステータス５０２と、シリアル化データ５０４と、複製機器５０６とを有する。これら３つの主要画面は、各画面のヘッダー部にあるタブによりアクセスされる。
【００２８】
ジョブステータス画面５０２は、ジョブステータス画面上の新規ジョブ又はジョブ編集ボタンのクリック操作でアクセスされる付加的なサブ画面、すなわちジョブ編集５０８を有する。
図６を参照すると、シリアル化書込器シリアル化管理システムのジョブ制御ホストにおけるコンソールのジョブステータス画面５０２が示されている。これは、全てのジョブ管理のための主要画面である。ここから、オペレータは、ジョブの創成、割り当て、追跡及び終了化をなすことができる。この画面は、現在のジョブステータスの全体像を提供し、全てのジョブ管理機能のための便利な機構を提供する。
【００２９】
【表１】
2004513446.tif 000003
図７を参照すると、シリアル化書込器シリアル化管理システムのジョブ制御ホストにおけるコンソールのジョブ編集画面５０８の図示が示されている。これはジョブを追加又は編集するのに用いられる。ジョブは、全ての情報が満たされることで入力される。ジョブは、複製機器がディスクマスターＩＤを割り当てて、それらのステータスが「割り当て済み」になる前には編集され得る。
【００３０】
【表２】
2004513446.tif 000004
2004513446.tif 000005
図８を参照すると、シリアル化書込器シリアル化管理システムのジョブ制御ホストにおけるコンソールのジョブ編集画面５０８の図示が示されている。この画面は、オペレータが管理下のシリアル番号セットを見直しできるようにしている。オペレータは、順番状態又はステータスによりシリアル番号の利用状況を見ることができる。加えて、シリアル番号データはファイルに書き出し又は印刷することができる。注記するに、外部出力ファイルのみが適切な認証署名を有する完全なＢＣＡ書込データを含む。
【００３１】
【表３】
2004513446.tif 000006
図９を参照すると、シリアル化書込器シリアル化管理システムのジョブ制御ホストにおけるコンソールの複製機器保守及びステータス表示画面５０６の図示が示されている。これは、複製機器保守及びステータスの概括する主要画面である。ここから、オペレータは複製機器ホストの接続を創成、削除及び追跡することができる。
【００３２】
【表４】
2004513446.tif 000007
図１０を参照すると、シリアル化書込器シリアル化管理システムのジョブ制御ホストにおけるコンソールの複数の表示画面と、かかる画面間の誘導関係とを図示するブロック図が示されている。従って、複製機器のコンソールは、３つの主要画面、すなわち、複製機器ジョブステータス１００２と、シリアル化データ１００４と、ＢＣＡ書込器保守及びステータス１００６とを有する。該３つの主要画面は、各画面のヘッダー部にあるタブによりアクセスされる。
【００３３】
図１１を参照すると、ＢＣＡ書込器シリアル化管理システムの複製機器ホストにおけるコンソールの複製機器ジョブステータスの表示画面１００２の図示が示されている。該複製機器ジョブステータスの表示画面は、全ての複製機器に送られるジョブの追跡を維持するのに用いられる。シリアル番号レンジ、ジョブＩＤ及び複製機器が既知となってからジョブが入力される。ジョブが入力されたなら、これは自動的に複製機器にて複製機器ホストにダウンロードされる。ジョブの制御は、次いで、複製機器ホストに受け渡される。該複製機器ホストは、複製機器ホストの複製機器に既に送られて処置されている各ジョブのジョブステータス（以降参照）を含むステータス更新をジョブ管理ホストに周期的に送信する。ジョブ制御ホストはステータス更新をリクエストしても良いが、複製機器ホストは能動的にジョブの管理及び制御をなしも良い。
【００３４】
複製設備ホストによりジョブの書込が完了したなら、当該ジョブの制御はジョブ管理ホストにまで戻される。ここで、そのオペレータは、最終のシリアル番号データ及びステータスの外部出力を得る運用終了化の実行に責任がある。
本実施例によれば、ジョブは一度入力されたなら編集され得ない。これは、通常の運用において、ジョブが複製機器ホストに迅速にダウンロードされ、一度ダウンロードされたなら当該ジョブの制御は複製設備ホストに受け渡される。従って、もしジョブにエラーがあり修正される必要があれば、初期の入力時に「ホールト」ステータスにされ、次いで削除／終了化をされ、「ホールド」ステータスが解かれるべきである。ホールド／削除済みジョブからの使用済みのシリアル番号は再利用されない。
【００３５】
上記のようにジョブステータスは次のようである。
「入力済み」−ジョブが画定されたが、その複製機器ホストにダウンロードされてはいない状態。
「保留中」−ジョブがその複製機器にダウンロードされたが、ステータス更新として又はステータス変更リクエストに応じては、そのジョブのシリアル化が開始されたことを示すようなデータが受信されてはいない状態。
【００３６】
「割り当て済み」−そのジョブはその複製機器ホストによりディスクマスターＩＤを割り当てられたが、シリアル化はなお開始されていない状態。
「処理中」−ジョブのシリアル化が開始されたが、ジョブが完了したことの指標がまだ受信されていない状態。
「完了」−複製機器ホストが完了したものとしてジョブを書込した状態。
【００３７】
「終了化」−シリアル番号データをファイルに保存するような完了シリアル番号データの記録／保存が実行された状態。
「保留中ホールド」ジョブのホールドが要求されたが、複製機器ホストによりまだ確認されていない状態。このステータスは、特定のジョブが取り消しを必要とするとき、若しくは作業が何らかの理由でホールドされる時に用いられ、かかるジョブのホールドリクエストは、ジョブ制御ホストにおいなされるが未だに複製機器ホストによっては確認されていない状態。
【００３８】
「ホールド」−複製機器ホストにおいてホールド状態にジョブが置かれた状態。
ジョブは、好ましくは、マイクロソフト社のエルセル（登録商標）、マイクロソフト社のアクセス（登録商標）データベース又はオラクル社のデータベースの如きシリアル化データベースのようなプログラムに取り込むのに適切なカンマ分離値（ＣＳＶ）にて外部出力される。各ジョブは別々のファイル、すなわち別々のカンマ分離値ファイルに外部出力される。
【００３９】
カンマ分離値ファイルの第１行は、ジョブ名、ジョブステータス、複製機器、ディスク識別子（例えば、インターアクチュアルディスク識別子）、ディスクマスターＩＤ、製造量、完了済み量、及びジョブ制御オペレータＩＤを含むジョブの包括的な属性情報を含む。引き続く複数行の各々には、開始シリアル番号、ステータス、量、ＢＣＡ書込器オペレータＩＤ、ＢＣＡ書込器ＩＤ、開始日付／時刻、及び終了日付／時刻のフィールドを含むを１つのシリアル化レンジの情報を含む。
【００４０】
マイクロソフト社のアクセス或いはオラクル社のデータベースの如きジョブ制御データベースが、該システムにおける全ての製造ジョブに関連するデータ、例えば、シリアル化情報、割り当てられた複製機器、ジョブ量、ジョブステータス及びその他のデータを含む。
ジョブデータベースのフォーマットは以下のようである。
【００４１】
【表５】
2004513446.tif 000008
【００４２】
次のものはシリアル番号レンジとしてとり得る値の説明である。
ステータス：
良好−　このレンジのディスクは成功裏に製造された。
不良−　このレンジのディスクは不良であった。
不知−このレンジのディスクは不明のステータスと複製機に割り当てられたシリアル番号とを有するが、結果は不確定である。これらのシリアル番号はそのフィールドに現れる。
割り当てられたレンジの詳細のレコードを除く全ての他のシリアル番号は、そのジョブステータスが「閉じられる」までは不明であると見做され、閉じられる際にステータス「割り当て済み」が与えられる。
【００４３】
全ての既知の複製機器のデータベース、すなわち複製機器データベースは、また、ジョブ制御ホストにおいて保守される。本実施例によれば、複製機器データベースは、１行当たり１つの複製機器とする単純なテキストファイルである。各行はカンマにより区切られた以下に示すようなフィールドを含む。
【００４４】
【表６】
2004513446.tif 000009
上記のように、複製機器ホストは、バードディスク、電源、インタフェースカード、プロセッサ及びその他について冗長系を備える高稼働率（ＨＡ）運用に最適化されたリナックス（Ｌｉｎｕｘ）ベースのパーソナルコンピュータである。複製機器ホストは、ディスクにＢＣＡの実際に書込をなす一群のＢＣＡ書込器のリアルタイム管理を提供する責任がある。
【００４５】
複製機器ホストの基幹たるタスクは、現在製造下にあるジョブを追跡しつつ、バッチリクエストがジョブ制御ホストから受信されたら各ＢＣＡ書込器に新規製造バッチを割り当てることである。ジョブ制御ホストからネットワークを介して複製機器ホストが受信する多様なジョブ制御コマンドを下記にまとめる。
【００４６】
【表７】
2004513446.tif 000010
ジョブ／バッチ／複製ジョブ管理タスクは、複製機器ホストに対してユーザインタフェースを提供する。そのコンソールは、複製機器ホストのオペレータが割り当て、ジョブ及びＢＣＡ書込器のモニタを行うことを可能とする。該コンソールのオペレータは、通常、ジョブプロセスフローの運用上の包括的な監督をなす内勤職員である。
【００４７】
ジョブ／バッチコンソール／複製ジョブ管理タスクは、複製機器ホストコンソール上に表示される３つの主要画面、すなわち、ジョブステータスと、シリアル化データ１１０４と、ＢＣＡ機械１１０６とを有する。本実施例によれば、これら３つの主要画面は、該３つの主要画面の各々のヘッダー部のタブによりアクセスされる。
【００４８】
ジョブステータス表示画面は以下の通りである。
【００４９】
【表８】
2004513446.tif 000011
図１２を参照すると、ＢＣＡ書込器シリアル化管理システムの複製機器ホストのコンソールのためのシリアル化データ表示画面１００４の図示が示されている。
【００５０】
シリアル化管理画面は次の特徴を含む。
【００５１】
【表９】
2004513446.tif 000012
図１３を参照すると、ＢＣＡ機械画面は、複製ホストに関連するＢＣＡ機械の主たるモニタ画面である。ＢＣＡ機械画面は、関連するジョブのみならず個々のＢＣＡ書込器ステータスを目視できるようにしている。該ＢＣＡ機械画面は、次の特徴を含む。
【００５２】
【表１０】
2004513446.tif 000013
ジョブ制御ホストデータベースは、各複製機器ホストより保守される。該ジョブ制御ホストデータベースは、遠隔又はローカルに関わらず全ての既知のジョブ制御ホストのデータベースである。
【００５３】
【表１１】
2004513446.tif 000014
ジョブ／バッチデータベースは、各複製機器ホストにより保守され、その複製機器ホストに割り当てられた製造ジョブのデータベースである。該ジョブ／バッチデータベースは、各ジョブの現在状態と、各ジョブが含むバッチの数と、既に製造されたバッチの数と、その他を含む。
【００５４】
【表１２】
2004513446.tif 000015
ＢＣＡ書込器データベースは、各複製機器ホストにより保守され、複製機器ホストの制御の下にあるＢＣＡ書込器のデータベースである。該ＢＣＡ書込器データベースは、次のものを含む。
【００５５】
【表１３】
2004513446.tif 000016
次に示すものは好ましいシリアル番号構造の説明である。この構造は、複数の個別のレコードをサポートする。各レコードは、単一バイト境界にて以前のものと直近に連なる。ＢＣＡ番号の包括的なヘッダーは、全ＢＣＡデータセットについてのバージョン番号及び長さのフィールドと、シリアル化の日付及び時刻と、用いられるＢＣＡ書込器とを含む。各個別のレコードは、次いで、標準として所有者及び長さフィールドを含み、更に、所有者独自のデータが続く。
【００５６】
【表１４】
2004513446.tif 000017
会社独自レコードは、上記の個別レコードの１つの例であり、これは、媒体上に各個別の「タイトル」のサブデータセットを含む会社独自内容の包括的な情報、例えば、インターアクチュアルコンテンツの如き情報を媒体上に含む。バージョン１のレコードには、何らタイトル独自のサブフィールドを含まない。というのは何ら既知の内容がないからで、空白が予備としてある。個別のタイトルはディスク上で最初の「タイトル」のシリアル番号（そのレコード中のシリアル番号）から順序だっている。そのフィールドにはタイトル独自のデータに確保された空白がある。
【００５７】
【表１５】
2004513446.tif 000018
【００５８】
【表１６】
2004513446.tif 000019
【００５９】
【表１７】
2004513446.tif 000020
本発明がかかる実施例及び適用により説明されたが、幾つかの改変並びに変様が請求項に記載の本発明の範囲から逸脱することなく当業者によりなされ得る。
【図面の簡単な説明】
【図１】本発明の１つの実施例におけるＢＣＡ書込器シリアル化管理システムのハードウェアブロック図である。
【図２】図１に示される如き１つの実施例におけるＢＣＡ書込器シリアル化管理システムの機能ブロック図である。
【図３】図１に示される如きＢＣＡ書込器シリアル化管理システムにおける業務フローを示している高レベルブロック図である。
【図４】図１に示される如きＢＣＡ書込器シリアル化管理システムによりなされる行程を示している業務フロー図である。
【図５】図１のＢＣＡ書込器シリアル化管理システムにおけるジョブ管理ホストの複数のコンソール表示画面と、これら画面間の誘導関係をを示しているブロック図である。
【図６】図１のＢＣＡ書込器シリアル化管理システムにおけるジョブ管理ホストのコンソールのジョブステータス表示の画面図である。
【図７】図１のＢＣＡ書込器シリアル化管理システムにおけるジョブ管理ホストのコンソールの編集ジョブ表示の画面図である。
【図８】図１のＢＣＡ書込器シリアル化管理システムにおけるジョブ管理ホストのコンソールのシリアル化データ表示の画面図である。
【図９】図１のＢＣＡ書込器シリアル化管理システムにおけるジョブ管理ホストのコンソールの複製機器保守及びステータス表示の画面図である。
【図１０】図１のＢＣＡ書込器シリアル化管理システムのジョブ管理ホストの複数のコンソールの表示画面と、かかる画面間の誘導関係をを示しているブロック図である。
【図１１】図１のＢＣＡ書込器シリアル化管理システムにおける複製機器ホストのコンソールの複製機器ジョブステータス表示の画面図である。
【図１２】図１のＢＣＡ書込器シリアル化管理システムにおける複製機器ホストのコンソールのシリアル化データ表示の画面図である。
【図１３】図１のＢＣＡ書込器シリアル化管理システムにおける複製機器ホストのコンソールの保守及びステータス表示の画面図である。
【図１】
2004513446.tif 000021
【図２】
2004513446.tif 000022
【図３】
2004513446.tif 000023
【図４】
2004513446.tif 000024
【図５】
2004513446.tif 000025
【図６】
2004513446.tif 000026
【図７】
2004513446.tif 000027
【図８】
2004513446.tif 000028
【図９】
2004513446.tif 000029
【図１０】
2004513446.tif 000030
【図１１】
2004513446.tif 000031
【図１２】
2004513446.tif 000032
【図１３】
2004513446.tif 000033
【国際公開パンフレット】
2004513446.tif 000034
2004513446.tif 000035
2004513446.tif 000036
2004513446.tif 000037
2004513446.tif 000038
2004513446.tif 000039
2004513446.tif 000040
2004513446.tif 000041
2004513446.tif 000042
2004513446.tif 000043
2004513446.tif 000044
2004513446.tif 000045
2004513446.tif 000046
2004513446.tif 000047
2004513446.tif 000048
2004513446.tif 000049
2004513446.tif 000050
2004513446.tif 000051
2004513446.tif 000052
2004513446.tif 000053
2004513446.tif 000054
2004513446.tif 000055
2004513446.tif 000056
2004513446.tif 000057
2004513446.tif 000058
2004513446.tif 000059
2004513446.tif 000060
2004513446.tif 000061
2004513446.tif 000062
2004513446.tif 000063
2004513446.tif 000064
2004513446.tif 000065
2004513446.tif 000066
2004513446.tif 000067
2004513446.tif 000068
2004513446.tif 000069
2004513446.tif 000070
2004513446.tif 000071
2004513446.tif 000072
2004513446.tif 000073
2004513446.tif 000074
2004513446.tif 000075
2004513446.tif 000076
2004513446.tif 000077
2004513446.tif 000078
【国際公開パンフレット（コレクトバージョン）】
2004513446.tif 000079
2004513446.tif 000080
【国際公開パンフレット（コレクトバージョン）】
2004513446.tif 000081
2004513446.tif 000082
2004513446.tif 000083
2004513446.tif 000084
2004513446.tif 000085
2004513446.tif 000086
2004513446.tif 000087
2004513446.tif 000088
2004513446.tif 000089
2004513446.tif 000090
2004513446.tif 000091
2004513446.tif 000092
2004513446.tif 000093
2004513446.tif 000094
2004513446.tif 000095
2004513446.tif 000096
2004513446.tif 000097
2004513446.tif 000098
2004513446.tif 000099
2004513446.tif 000100
2004513446.tif 000101
2004513446.tif 000102
2004513446.tif 000103
2004513446.tif 000104
2004513446.tif 000105
2004513446.tif 000106
2004513446.tif 000107
2004513446.tif 000108
2004513446.tif 000109
2004513446.tif 000110
2004513446.tif 000111
2004513446.tif 000112
2004513446.tif 000113
2004513446.tif 000114
2004513446.tif 000115
2004513446.tif 000116
2004513446.tif 000117
2004513446.tif 000118
2004513446.tif 000119
2004513446.tif 000120
2004513446.tif 000121
2004513446.tif 000122
2004513446.tif 000123
2004513446.tif 000124
2004513446.tif 000125
【国際調査報告】
2004513446.tif 000126
2004513446.tif 000127